(57)【要約】      （修正有）【課題】ＩＣチップを内蔵するとともに、印刷面が平坦状態で多数重ね合わせた状態でも部分的な膨らみが無く、総厚も小さく取り扱い性に優れた印刷面付平坦タグを提供する。【解決手段】印刷面付平坦タグ１は、一面側にインレイ側フィルム材５が貼り付けられるとともに、他面側にＩＣチップ３を外方に突出させる状態で付着したＩＣチップ支持片４を具備するインレイ２と、インレイ２のＩＣチップ支持片４が没入する受穴を有するスペーサ片９及びＩＣチップ３が没入する受穴部を有するＩＣチップ用スペーサ片１０を重合したインレイスペーサ６と、インレイスペーサ６の他面に貼り付けられるインレイスペーサ側フィルム材７とを具備し、インレイ２とインレイスペーサ６とを相互に重合した状態で、ＩＣチップ３を十分に保護した状態で内蔵でき、かつ、インレイ側フィルム材５、インレイスペーサ側フィルム材７の双方が各々印刷面形成用の平坦状態となるように構成したものである。【選択図】図１
0003146783.tif 000002
【実用新案登録請求の範囲】
【請求項１】
一面側にインレイ側フィルム材が貼り付けられるとともに、他面側にＩＣチップを外方に突出させる状態で付着したＩＣチップ支持片を具備するインレイと、
前記インレイのＩＣチップ支持片が没入する受穴を有するスペーサ片及び前記ＩＣチップが没入する受穴部を有するＩＣチップ用スペーサ片を重合したインレイスペーサと、
前記インレイスペーサの他面に貼り付けられるインレイスペーサ側フィルム材と、
を具備し、
前記インレイとインレイスペーサとを相互に重合した状態で、前記ＩＣチップを十分に保護した状態で内蔵でき、かつ、前記インレイ側フィルム材、インレイスペーサ側フィルム材の双方が各々印刷面形成用の平坦状態となるように構成したことを特徴とする印刷面付平坦タグ。
【請求項２】
一面側に印刷面形成用の長方形状のインレイ側フィルム材が貼り付けられるとともに、他面側中央部にＩＣチップを外方に突出させる状態で付着したインレイ側フィルム材より小寸法の長方形状のＩＣチップ支持片を具備する全体として長方形状のインレイと、
前記インレイのＩＣチップ支持片が没入する長方形状の受穴を有するスペーサ片と前記ＩＣチップが没入する受穴部を有するＩＣチップ用スペーサ片とを重合し、前記インレイ側フィルム材と同寸法に形成した全体として長方形状のインレイスペーサと、
前記インレイスペーサの他面に貼り付けられる印刷面形成用の長方形状のインレイスペーサ側フィルム材と、
を具備し、
前記インレイとインレイスペーサとを相互に重合した状態で、前記ＩＣチップを十分に保護した状態で内蔵でき、かつ、前記インレイ側フィルム材、インレイスペーサ側フィルム材の双方が各々平坦状態となるように構成したことを特徴とする印刷面付平坦タグ。
【請求項３】
一面側をインレイ側フィルム材用の貼り付け面とし、他面側にＩＣチップを外方に突出させる状態で付着したＩＣチップ支持片を具備するインレイと、
前記インレイの一面側に貼り付けられるインレイ側フィルム材と、
前記インレイのＩＣチップ支持片が没入する受穴を有するスペーサ片及び前記ＩＣチップが没入する受穴部を有するＩＣチップ用スペーサ片を重合したインレイスペーサと、
前記インレイスペーサの他面に貼り付けられるインレイスペーサ側フィルム材と、
を具備し、
前記インレイとインレイスペーサとを相互に重合し、インレイにおけるＩＣチップ支持片の一面にインレイ側フィルム材を貼り付け、インレイスペーサの他面にインレイスペーサ側フィルム材を貼り付けることで、前記ＩＣチップを十分に保護した状態で内蔵し、かつ、前記インレイ側フィルム材、インレイスペーサ側フィルム材の双方が各々印刷面形成用の平坦状態となるように組み立てるように構成したことを特徴とする印刷面付平坦タグ用の組み立て部品。
【請求項４】
一面側を印刷面形成用の長方形状のインレイ側フィルム材用の貼り付け面とし、他面側にＩＣチップを外方に突出させる状態で付着したインレイ側フィルム材より小寸法の長方形状のＩＣチップ支持片を具備する全体として長方形状のインレイと、
前記インレイの一面側に貼り付けられる長方形状のインレイ側フィルム材と、
前記インレイのＩＣチップ支持片が没入する長方形状の受穴を有するスペーサ片及び前記ＩＣチップが没入する受穴部を有するＩＣチップ用スペーサ片を重合した前記インレイ側フィルム材と同寸法に形成した全体として長方形状のインレイスペーサと、
前記インレイスペーサの他面に貼り付けられる長方形状のインレイスペーサ側フィルム材と、
を具備し、
前記インレイとインレイスペーサとを相互に重合し、インレイにおけるＩＣチップ支持片の一面にインレイ側フィルム材を貼り付け、インレイスペーサの他面にインレイスペーサ側フィルム材を貼り付けることで、前記ＩＣチップを十分に保護した状態で内蔵し、かつ、前記インレイ側フィルム材、インレイスペーサ側フィルム材の双方が各々印刷面形成用の平坦状態となるように組み立てるように構成したことを特徴とする印刷面付平坦タグ用の組み立て部品。
【考案の詳細な説明】
【技術分野】
【０００１】
本考案は、新規な印刷面付平坦タグ及び印刷面付平坦タグ用の組み立て部品に関するものである。
【背景技術】
【０００２】
近年、物流現場等においては、印刷ラベルやバーコードラベルに替えてＩＣタグやＩＣタグ封止体が物品識別用に多用されるようになっている。
【０００３】
ＩＣタグは、公知のようにＩＣチップと平面アンテナとを樹脂フィルムにより封止して、タグ状に形成した小型の無線通信端末素子である。
【０００４】
また、ＩＣタグ封止体は、ＩＣタグの両面に文字等を印刷可能な台紙等を貼り付けてＩＣタグを内蔵状態とするとともに、台紙の表面に物品の取り扱い情報等からなる物品仕様情報等を印刷したものである。
【０００５】
ところが、従来のＩＣタグ封止体の場合、単にＩＣタグの両面を台紙により覆うだけの構成であるため、ＩＣタグを構成するＩＣチップの小寸法の突出部に邪魔されてＩＣタグ封止体の一面の一部が平坦状態とはならずわずかに膨出してしまう。
【０００６】
この結果、ＩＣタグ封止体を多数重ね合わせてプリンタに設置し、各台紙表面に所要の物品仕様情報等を印刷しようとした場合、各ＩＣタグ封止体における一面の一部の膨出部分が重なりあって大きく膨らみ、個々のＩＣタグ封止体に対する文字等のプリント動作を円滑に実行できなくなるという不都合が生じていた。
【０００７】
特許文献１には、アンテナとなる配線基板と、この配線基板上に配置したＩＣチップとによりＩＣタグを構成し、ＩＣチップの上面にＩＣチップを臨ませる開口を有するフィルムを封着し、開口内に封止材を封入することでフィルム付ＩＣタグの上面を平坦化し、更に、フィルム付ＩＣタグを台紙の切り抜き部に入れ、台紙の上下面を同形状の封止紙により封着することで上下両面の平坦化を図ったＩＣタグ封入体が提案されている。
【０００８】
しかし、特許文献１の場合、アンテナとなる配線基板上にＩＣチップを配置したＩＣタグを使用するものであり、このため、ＩＣタグ封入体の総厚が大きくなってしまう。
【特許文献１】特開２００５−２３５１５０号公報
【考案の開示】
【考案が解決しようとする課題】
【０００９】
本考案が解決しようとする問題点は、ＩＣチップ部分を十分に保護した状態で内蔵するとともに、外部に表出する両面である印刷面が平坦状態で多数重ね合わせた状態でプリンタにセットしても何等支障なく印刷面に対する所要の文字等を次々と印刷でき、しかも、総厚も小さく取り扱い性に優れた印刷面付平坦タグが存在しない点である。
【課題を解決するための手段】
【００１０】
本考案に係る印刷面付平坦タグは、一面側にインレイ側フィルム材が貼り付けられるとともに、他面側にＩＣチップを外方に突出させる状態で付着したＩＣチップ支持片を具備するインレイと、前記インレイのＩＣチップ支持片が没入する受穴を有するスペーサ片及び前記ＩＣチップが没入する受穴部を有するＩＣチップ用スペーサ片を重合したインレイスペーサと、前記インレイスペーサの他面に貼り付けられるインレイスペーサ側フィルム材と、を具備し、前記インレイとインレイスペーサとを相互に重合した状態で、前記ＩＣチップを十分に保護した状態で内蔵でき、かつ、前記インレイ側フィルム材、インレイスペーサ側フィルム材の双方が各々印刷面形成用の平坦状態となるように構成したことを最も主要な特徴とする。
【考案の効果】
【００１１】
請求項１、２記載の考案によれば、ＩＣチップ部分を十分に保護した状態でＩＣタグを内蔵でき、かつ、相互に重合した状態でインレイ外側のインレイ側フィルム材、インレイスペーサ外側のインレイスペーサ側フィルム材が各々平坦状態となり、多数重ね合わせた状態でプリンタにセットしても何等支障なく印刷面に対する所要の文字等を次々と印刷でき、しかも、総厚も小さく取り扱い性に優れた印刷面付平坦タグを提供できる。
【００１２】
請求項３、４記載の考案によれば、一面側をインレイ側フィルム材用の貼り付け面とし、他面側にＩＣチップを外方に突出させる状態で付着したＩＣチップ支持片を具備するインレイと、前記インレイの一面側に貼り付けられるインレイ側フィルム材と、前記インレイのＩＣチップ支持片が没入する受穴を有するスペーサ片及び前記ＩＣチップが没入する受穴部を有するＩＣチップ用スペーサ片を重合したインレイスペーサと、前記インレイスペーサの他面に貼り付けられるインレイスペーサ側フィルム材とからなる部品構成で、本考案の印刷面付平坦タグの組み立てに必要な組み立て部品とし、簡略容易に本考案の印刷面付平坦タグを組み立てることができる。
【考案を実施するための最良の形態】
【００１３】
本考案は、ＩＣチップを十分に保護して内蔵するとともに、外部に表出する両面である印刷面が平坦状態で多数重ね合わせた状態でプリンタにセットしても何等支障なく印刷面に対する所要の文字等を次々と印刷でき、しかも、総厚も小さく取り扱い性に優れた印刷面付平坦タグを提供するという目的を有するものである。
【００１４】
本考案の印刷面付平坦タグは、一面側に印刷面形成用の長方形状のインレイ側フィルム材が貼り付けられるとともに、他面側中央部にＩＣチップを外方に突出させる状態で付着したインレイ側フィルム材より小寸法の長方形状のＩＣチップ支持片を具備する全体として長方形状のインレイと、前記インレイのＩＣチップ支持片が没入する長方形状の受穴を有するスペーサ片と前記ＩＣチップが没入する受穴部を有するＩＣチップ用スペーサ片とを重合し、前記インレイ側フィルム材と同寸法に形成した全体として長方形状のインレイスペーサと、前記インレイスペーサの他面に貼り付けられる印刷面形成用の長方形状のインレイスペーサ側フィルム材と、を具備し、前記インレイとインレイスペーサとを相互に重合した状態で、前記ＩＣチップを十分に保護した状態で内蔵でき、かつ、前記インレイ側フィルム材、インレイスペーサ側フィルム材の双方が各々平坦状態となるように構成したことにより上記目的を実現した。
【実施例】
【００１５】
以下に、本考案の実施例に係る印刷面付平坦タグ、印刷面付平坦タグ用の組み立て部品について、図面を参照して詳細に説明する。
【００１６】
まず、本実施例に係る印刷面付平坦タグ１について、図１乃至図３を参照して説明する。
【００１７】
本実施例に係る印刷面付平坦タグ１は、図１にその断面を示すように、一面側に印刷面形成用の長方形状で例えば合成樹脂材からなるインレイ側フィルム材５が貼り付けられるとともに、他面側中央部に本実施例の平坦タグを構成する例えば小寸法の直方体状に構成した所要の電子回路を内蔵するＩＣチップ３を外方に突出させる状態で例えば接着等により付着した長方形状の例えば合成樹脂材からなるＩＣチップ支持片４を具備する全体として長方形状のインレイ２と、このインレイ２に重合する全体として長方形状のインレイスペーサ６と、を有している。
【００１８】
更に、本実施例に係る印刷面付平坦タグ１は、前記インレイスペーサの他面に貼り付けられる印刷面形成用の長方形状のインレイスペーサ側フィルム材７を具備している。
【００１９】
前記インレイスペーサ６は、前記インレイ２のＩＣチップ支持片４が没入する長方形状の受穴８を有する例えば合成樹脂材からなるスペーサ片９と、前記ＩＣチップ３が没入する受穴部１１を有する例えば合成樹脂材からなるＩＣチップ用スペーサ片１０とを重合接着することにより構成している。
【００２０】
前記ＩＣチップ支持片４は、前記インレイ側フィルム材５より小寸法に形成している。また、前記スペーサ片９及びＩＣチップ用スペーサ片１０は、前記インレイ側フィルム材５と同寸法に形成している。
【００２１】
前記インレイ側フィルム材５及びインレイスペーサ側フィルム材７は、いずれもその外面に文字、図形等を印刷可能な例えば合成樹脂材を用いて形成している。
そして、前記インレイ２とインレイスペーサ６とを相互に重合した状態で、前記ＩＣチップ３を十分に保護した状態で内蔵でき、かつ、前記インレイ側フィルム材５、インレイスペーサ側フィルム材７の双方が各々平坦状態となり、これにより、図示しないがプリンタによって前記インレイ側フィルム材５、インレイスペーサ側フィルム材７の各外面に、文字、図形等を容易に印刷可能としている。
【００２２】
本実施例に係る印刷面付平坦タグ１の他面側から見た状態を図２に、また、一面側から見た状態を図３に各々示す。
【００２３】
次に、本実施例に係る印刷面付平坦タグ１を構成する組み立て部品としての前記各要素を用いて、図１に示す印刷面付平坦タグ１を組み立てる過程について図４乃至図７を参照して説明する。
【００２４】
まず、図４に示すように、前記インレイ側フィルム材５、ＩＣチップ３を付着したＩＣチップ支持片４、受穴８を有するスペーサ片９、ＩＣチップ３が没入する受穴部１１を有するＩＣチップ用スペーサ片１０及びインレイスペーサ側フィルム材７を用意する。
【００２５】
次に、図５に示すように、スペーサ片９とＩＣチップ用スペーサ片１０とを接着等により重合するとともに、ＩＣチップ３を付着したＩＣチップ支持片４を、前記スペーサ片９、ＩＣチップ用スペーサ片１０に対向配置し、これらＩＣチップ支持片４、ＩＣチップ３を前記受穴８、受穴部１１に没入させる。この状態を図６に示す。
【００２６】
これにより、前記スペーサ片９、ＩＣチップ用スペーサ片１０内にＩＣチップ支持片４、ＩＣチップ３が完全に内蔵された状態となり、前記スペーサ片９、ＩＣチップ用スペーサ片１０の各外面は完全に平坦となる。
【００２７】
次に、図７に示すように、前記前記スペーサ片９の外面に前記インレイ側フィルム材５を接着等により貼り付け、また、前記ＩＣチップ用スペーサ片１０の外面にインレイスペーサ側フィルム材７を接着等により貼り付ける。
【００２８】
この結果、図１に示すような本実施例に係る印刷面付平坦タグ１を得ることができる。
【００２９】
なお、上述した他に、前記印刷面付平坦タグ１に平面アンテナを付加する構成も採用することができるが、ここではその説明を省略する。
【００３０】
このように、本実施例に係る印刷面付平坦タグ１によれば、前記インレイ２、インレイスペーサ６、インレイ側フィルム材５及びインレイスペーサ側フィルム材７によりＩＣチップ３を外力の影響から保護する状態で内蔵できるとともに、外部に表出する両面、すなわち、インレイ側フィルム材５の外面、インレイスペーサ側フィルム材７の外面をともに平坦状態な印刷面とし、かつ、総厚が小さく取り扱い性に優れ、両面である印刷面が平坦状態で多数重ね合わせた状態でプリンタにセットしても従来例のような部分的な膨らみが生じることはなく、これにより、何等支障なく各印刷面に対する所要の文字等を次々と印刷することが可能となる。
【００３１】
更に、前記前記インレイ側フィルム材５、ＩＣチップ３を付着したＩＣチップ支持片４、受穴８を有するスペーサ片９、ＩＣチップ３が没入する受穴部１１を有するＩＣチップ用スペーサ片１０及びインレイスペーサ側フィルム材７からなる部品構成で、上述した効果を奏する印刷面付平坦タグ１を簡略容易に組み立てることができる。
【産業上の利用可能性】
【００３２】
本考案の印刷面付平坦タグは、その外面に、物品の取り扱い情報等からなる物品情報等を印刷し、この印刷面付平坦タグを、例えば物流ターミナルにおけるコンベア上を搬送される多数の物品へ付けて前記ＩＣチップに予め記憶した記憶情報を読み取りセンサで読み取ったり、前記外面の印刷情報を作業者が目視で読み取ったりして物品の配送仕分けを行う等の用途に広範に適用可能である。
【図面の簡単な説明】
【００３３】
【図１】本考案の実施例に係る印刷面付平坦タグの断面図である。
【図２】本実施例に係る印刷面付平坦タグを他面側から見た状態の概略斜視図である。
【図３】本実施例に係る印刷面付平坦タグを一面側から見た状態の概略斜視図である。
【図４】本考案の実施例に係る印刷面付平坦タグの組み立て部品を分解状態で示す概略断面図である。
【図５】本考案の実施例に係る印刷面付平坦タグの組み立て過程を示す説明図である。
【図６】本考案の実施例に係る印刷面付平坦タグの組み立て過程を示す説明図である。
【図７】本考案の実施例に係る印刷面付平坦タグの組み立て過程を示す説明図である。
【符号の説明】
【００３４】
１  印刷面付平坦タグ
２  インレイ
３  ＩＣチップ
４  ＩＣチップ支持片
５  インレイ側フィルム材
６  インレイスペーサ
７  インレイスペーサ側フィルム材
８  受穴
９  スペーサ片
１０  ＩＣチップ用スペーサ片
１１  受穴部
【図１】
0003146783.tif 000003
【図２】
0003146783.tif 000004
【図３】
0003146783.tif 000005
【図４】
0003146783.tif 000006
【図５】
0003146783.tif 000007
【図６】
0003146783.tif 000008
【図７】
0003146783.tif 000009